(57)【要約】【課題】輝度差によるムラを防ぐことができる液晶表示装置を提供する。【解決手段】上部基板及び下部基板１１２が接着されて形成された液晶表示装置において、下部基板１１２の第１側部に位置する第１パッド部１１４と、下部基板１１２の第２側部に位置する第２パッド部１１６と、第１パッド部１１４及び第２パッド部１１６に電気的に接続される集積回路１１０と、下部基板１１２の第２側部に位置するダミーパッド１１８を備え、ダミーパッド１１８は、第２パッド部１１６と対称的に形成される。【選択図】図３
2007156396.tif 000002
【特許請求の範囲】
【請求項１】
上部基板及び下部基板が接着されて形成された液晶表示装置において、
前記下部基板の第１側部に位置する第１パッド部と、
前記下部基板の第２側部に位置する第２パッド部と、
前記第１パッド部及び第２パッド部に電気的に接続される集積回路と、
前記下部基板の第２側部に位置するダミーパッドと、を備え、
前記ダミーパッドは、前記第２パッド部と対称的に形成されることを特徴とする液晶表示装置。
【請求項２】
前記ダミーパッドは、前記集積回路に接続されないことを特徴とする請求項１に記載の液晶表示装置。
【請求項３】
前記下部基板の有効表示領域に前記集積回路に接続されるように形成されるデータ線を備えることを特徴とする請求項１に記載の液晶表示装置。
【請求項４】
前記第１パッド部及び第２パッド部は、前記有効表示領域の外郭に位置することを特徴とする請求項３に記載の液晶表示装置。
【請求項５】
前記上部基板に位置して前記第１パッド部に接続されるように形成される第３パッド部と、
前記上部基板に位置して前記第２パッド部に接続されるように形成される第４パッド部と、
前記上部基板の前記有効表示領域に前記第３パッド部及び前記第４パッド部に接続されるように形成される走査線と、を備えることを特徴とする請求項３に記載の液晶表示装置。
【請求項６】
前記走査線及びデータ線の交差部に位置して、前記データ線から供給されるデータ信号に対応する画像を表示するための画素を備えることを特徴とする請求項５に記載の液晶表示装置。
【発明の詳細な説明】
【技術分野】
【０００１】
本発明は、液晶表示装置に関し、特に輝度差によるムラを防ぐための液晶表示装置に関する。
【背景技術】
【０００２】
近年、陰極線管（Ｃａｔｈｏｄｅ  Ｒａｙ  Ｔｕｂｅ：ＣＲＴ）の欠点である重さと厚さを減少させた多様な平板表示装置が開発されている。平板表示装置には、液晶表示装置（Ｌｉｑｕｉｄ  Ｃｒｙｓｔａｌ  Ｄｉｓｐｌａｙ：ＬＣＤ）、電界放出表示装置（Ｆｉｅｌｄ  Ｅｍｉｓｓｉｏｎ  Ｄｉｓｐｌａｙ：ＦＥＤ）、プラズマ表示パネル（Ｐｌａｓｍａ  Ｄｉｓｐｌａｙ  Ｐａｎｅｌ：ＰＤＰ）、及び発光表示装置（Ｌｉｇｈｔ  Ｅｍｉｔｔｉｎｇ  Ｄｉｓｐｌａｙ：ＬＥＤ）などがある。
【０００３】
この液晶表示装置は、小型化、軽量化、及び低電力などのメリットを有し、従来の陰極線管の欠点を補完できる代替手段として次第に注目されており、現在は、携帯電話及びＰＤＡ（Ｐｏｒｔａｂｌｅ  ｄｉｇｉｔａｌ  ａｓｓｉｓｔｏｒ）などの携帯用機器のみならず、中大型製品のモニター、ＴＶなどにも採用されている。ここで、携帯用機器には、低い消費電力のパッシブマトリックス（Ｐａｓｓｉｖｅ  Ｍａｔｒｉｘ）形態の液晶表示装置が広く使われている．
図１は、従来のパッシブマトリックス形態の液晶表示装置を示した図である。
【０００４】
図１に示すように、従来のパッシブマトリックス形態の液晶表示装置は、液晶パネル２と、液晶パネル２のデータ線（Ｄ１〜Ｄｍ）を駆動するためのデータ駆動部８と、液晶パネル２の走査線（Ｓ１〜Ｓｎ）を駆動するため走査駆動部６を備える。
【０００５】
液晶パネル２は、走査線（Ｓ１〜Ｓｎ）及びデータ線（Ｄ１〜  Ｄｍ）の交差部に位置する複数の画素４を備える。複数の画素４のそれぞれは、走査線（Ｓ１〜Ｓｎ）に走査信号が供給されるときに選択されて、データ線（Ｄ１〜Ｄｍ）に供給されるデータ信号に対応して光を放出する。
【０００６】
走査駆動部６は、図示されていないタイミング制御部からの制御信号によって、走査線（Ｓ１〜Ｓｎ）に走査信号を順次に供給する。
【０００７】
データ駆動部８は、タイミング制御部からの制御信号によってデータ信号を生成し、生成したデータ信号を走査信号と同期するようにデータ線（Ｄ１〜Ｄｍ）に供給する。
【０００８】
このように、従来の液晶表示装置は、上部基板と下部基板とが接着されて形成される。そして、携帯用表示装置（携帯電話機など）などに使われる液晶表示装置の下部基板１２には、図２に示すように、一つの集積回路１０が実装される。集積回路１０には、走査駆動部６及びデータ駆動部８の回路などが挿入される。これにより、集積回路１０は、データ線（Ｄ１〜Ｄｍ）及び走査線（Ｓ１〜Ｓｎ）と共通的に接続される。
【０００９】
より詳しく説明すれば、下部基板１２の有効表示領域２０には図示されていない画素がマトリックス形態に配置される。そして、有効表示領域２０に形成されるデータ線（Ｄ１〜Ｄｍ）は、集積回路１０と電気的に接続して集積回路１０からデータ信号の供給を受ける。なお、有効表示領域２０の第１側部には第１パッド部１４が形成され、第２側部には第２パッド部１６が形成される。第１パッド部１４は、有効表示領域２０の上段部に位置して集積回路１０と電気的に接続され、第２パッド部１６は有効表示領域２０の下段部に位置して集積回路１０と電気的に接続される。そして、第１パッド部１４は図示されていない上部基板及び下部基板１２が合体するときに、たとえば、上部基板の有効表示領域２０の上段部に位置する走査線（Ｓ１〜〜Ｓｎ／２）などと電気的に接続され、第２パッド部１６は上部基板の有効表示領域２０の下段部に位置する走査線（Ｓｎ／２＋１〜Ｓｎ）などと電気的に接続される。
【００１０】
このように、従来の液晶表示装置では、一つの集積回路１０に走査線（Ｓ１〜Ｓｎ）及びデータ線（Ｄ１〜Ｄｍ）などが接続され、この集積回路１０から供給される走査信号及びデータ信号に対応して有効表示領域２０に所定の画像を表示する。
【００１１】
一方、第２パッド部１６の上部にはダミーパッド１８が形成される。このダミーパッド１８は、上部基板及び下部基板１２が合体するとき、セルギャップを維持するために使用される。ところが、従来の液晶表示装置では、ダミーパッド１８が形成された部分、及び／またはダミーパッド１８と第２パッド部１６との境界部分に輝度差によるムラが生じる。このムラ現象は、上部基板及び下部基板１２が合体するとき、ダミーパッド１８と第２パッド部１６との間の高さが不均一に設定されることに起因する。
【００１２】
一方、上述した従来の液晶表示装置に関する技術を記載した文献としては、下記特許文献１がある。
【特許文献１】米国特許出願公開第２００４／０１２５２６３号明細書
【発明の開示】
【発明が解決しようとする課題】
【００１３】
従って、本発明の目的は、輝度差によるムラを防ぐことができる液晶表示装置を提供することである。
【課題を解決するための手段】
【００１４】
上述した目的を達成するために、本発明の第１側面は、上部基板及び下部基板が合着されて形成される液晶表示装置において、前記下部基板の第１側部に位置する第１パッド部と、前記下部基板の第２側部に位置する第２パッド部と、前記第１パッド部と第２パッド部と電気的に接続される集積回路と、前記下部基板の第２側部に位置するダミーパッドとを備え、前記ダミーパッドは、前記第２パッド部と対称的に形成されることを特徴とする液晶表示装置を提供する。
【００１５】
好ましくは、前記ダミーパッドは前記集積回路に接続されない。前記下部基板の有効表示領域に前記集積回路に接続されるために形成されるデータ線を備える。前記第１パッド部及び第２パッド部は、前記有効表示領域の外郭に位置する。前記上部基板に位置して前記第１パッド部に接続されるために位置する第３パッド部と、前記上部基板に位置して、前記第２パッド部に接続されるために位置する第４パッド部と、前記上部基板の有効表示領域に前記第３パッド部及び第４パッド部に接続されるために形成される走査線を備える。前記走査線及びデータ線などの交差部に位置して、前記データ線から供給されるデータ信号に対応する画像を表示するための画素を備える。
【発明の効果】
【００１６】
本発明の液晶表示装置によれば、有効表示領域の一側の上段部に位置するダミーパッドを有効表示領域の一側の下段部に位置するパッドと対称的に形成することにより、上部基板及び下部基板のセルギャップを均一に維持することができ、輝度差によるムラを防ぐことができる。
【発明を実施するための最良の形態】
【００１７】
以下、本発明が属する技術分野における通常の知識を有する者が容易に実施できるように、好適な実施例について図３乃至図５を参照して詳細に説明する。
【００１８】
図３及び図４は、本発明の実施例によるパッシブマトリックス形態の液晶表示装置の下部基板及び上部基板を概略的に示した図である。
【００１９】
図３及び図４に示すように、本発明の実施例による液晶表示装置の下部基板１１２は、有効表示領域１２０、集積回路１１０、第１パッド部１１４、第２パッド部１１６、及びダミーパッド１１８を備える。
【００２０】
画像を表示する領域である有効表示領域１２０には、複数の画素が配置され、たとえば、データ線（Ｄ１〜Ｄｍ）及び走査線（Ｓ１〜Ｓｎ）の交差部ごとに画素が位置する。この画素は、走査線（Ｓ１〜Ｓｎ）に走査信号が供給されるときに選択されて、データ線（Ｄ１〜Ｄｍ）から供給されるデータ信号に対応する画像を表示する。
【００２１】
データ線（Ｄ１〜Ｄｍ）は、有効表示領域１２０に形成され、有効表示領域１２０の下側部に位置する集積回路１１０に電気的に接続される。このデータ線（Ｄ１〜Ｄｍ）は、集積回路１１０からデータ信号の供給を受ける。
【００２２】
第１パッド部１１４は、有効表示領域１２０の外部に形成される。実際に、第１パッド部１１４は、有効表示領域１２０の外部の第１側部に形成される。この第１パッド部１１４は、集積回路１１０に電気的に接続されて集積回路１１０から走査信号の供給を受ける。そして、第１パッド部１１４は、上部基板１３０と合体するとき、上部基板１３０に形成された第３パッド部１３２と電気的に接続される。ここで、第３パッド部１３２は、有効表示領域１２０の上段部に形成された走査線（Ｓ１〜Ｓｎ／２）などに接続されているので、集積回路１１０から供給される走査信号が走査線（Ｓ１〜Ｓｎ／２）に順次に供給される。
【００２３】
第２パッド部１１６は、有効表示領域１２０の外部に形成される。実際に、第２パッド部１１６は、有効表示領域１２０の第２側部に形成される。この第２パッド部１１６は、集積回路１１０に電気的に接続されて集積回路１１０から走査信号の供給を受ける。そして、第２パッド部１１６は、上部基板１３０と合体するとき、上部基板１３０に形成された第４パッド部１３４に電気的に接続される。ここで、第４パッド部１３４は、有効表示領域１２０の下段部に形成された走査線（Ｓｎ／２＋１〜Ｓｎ）と接続されるので、集積回路１１０から供給される走査信号が走査線（Ｓｎ／２＋１〜Ｓｎ）に順次に供給される。
【００２４】
上部基板１３０には第３パッド部１３２及び第４パッド部１３４が形成される。第３パッド部１３２は、上部基板１３０の有効表示領域１２０の上段部に形成される走査線（Ｓ１〜Ｓｎ／２）に電気的に接続される。そして、第３パッド部１３２は、上部基板１３０及び下部基板１１２が合体するとき、第１パッド部１１４に電気的に接続される。その結果、第３パッド部１３２は、集積回路１１０から供給される走査信号を走査線（Ｓ１〜Ｓｎ／２）に供給する。
【００２５】
第４パッド部１３４は、上部基板１３０の有効表示領域１２０の下段部に形成される走査線（Ｓｎ／２＋１〜Ｓｎ）に電気的に接続される。そして、第４パッド部１３４は、上部基板１３０及び下部基板１１２が合体するとき、第２パッド部１１６に電気的に接続される。これにより、第４パッド部１３４は、集積回路１１０から供給される走査信号を走査線（Ｓｎ／２＋１〜Ｓｎ）などに供給する。
【００２６】
このような本発明の実施例による液晶表示装置において、第２パッド部１１６の上部にはダミーパッド１１８が形成される。このダミーパッド１１８は、上部基板１３０及び下部基板１１２が合体するとき、セルギャップを均一に維持するために使われる。そのために、ダミーパッド１１８は、第２パッド部１１６と対称的に形成される。すなわち、ダミーパッド１１８は、図５に示すように、有効表示領域１２０の第２側部の上段に位置し、第２側部の下段に位置する第２パッド部１１６と対称的に形成される。このように、ダミーパッド１１８が第２パッド部１１６と対称的に形成されれば、上部基板１３０及び下部基板１１２が合体するとき、セルギャップを均一に維持することができると共に、輝度差によるムラを防ぐことができる。
【００２７】
一方、本発明に於けるダミーパッド１１８は、単にセルギャップを維持するために使用されており、外部から電気的な信号は供給されない。
【００２８】
以上、本発明の好ましい実施例について説明したが、これは例示的なもので、本発明の権利範囲はこれに限定されない。よって、当該技術分野における通常の知識を有する者であれば、本発明に基づいて様々な変形及び均等な他の実施例が可能であることが理解できるであろう。なお、本発明の真の技術的保護範囲は添付された特許請求の範囲の技術的思想によって決まらなければならない。
【図面の簡単な説明】
【００２９】
【図１】従来のパッシブマトリックス形態の液晶表示装置を示した図である。
【図２】従来の液晶表示装置の下部基板を示した図である。
【図３】本発明の実施例による液晶表示装置の下部基板を示した図である。
【図４】本発明の実施例による液晶表示装置の上部基板を示した図である。
【図５】図３に示す下部基板のダミー部を詳しく示した図である。
【符号の説明】
【００３０】
２    液晶パネル、
４    画素、
６    走査駆動部、
８    データ駆動部、
１０，１１０    集積回路、
１２，１１２    下部基板、
１４，１６，１１４，１１６，１３２，１３４    パッド部、
１８，１１８    ダミーパッド部、
２０，１２０    有効表示部、
１３０    上部基板。
【図１】
2007156396.tif 000003
【図２】
2007156396.tif 000004
【図３】
2007156396.tif 000005
【図４】
2007156396.tif 000006
【図５】
2007156396.tif 000007